(57)【要約】【課題】インペラと従動マグネットとを簡単に瞬間に固定できるようにした磁気駆動ポンプにおけるインペラとマグネットの固定構造を提供するものである。【解決手段】羽根部４０を含む合成樹脂製のインペラ３６に、自由端が変位可能な複数のスナップアーム４４を同一円周上に一体に形成し、そのスナップアーム４４の自由端にスナップフック４８を形成する。円筒状の従動マグネット３２を複数のスナップアーム４４の外側から嵌合し、従動マグネット３２がストッパに当接した状態で、スナップアーム４４のスナップフック４８が従動マグネット３２に係止する。このスナップアーム４４のスナップフック４８への係止によって、従動マグネット３２が進行方向に対する反対方向に移動することができなくなり、従動マグネット３２がインペラ３６に固定される。【選択図】図２
2010048086.tif 000002
【特許請求の範囲】
【請求項１】
駆動手段によって回転させられる駆動マグネットと、その駆動マグネットの回転に伴って回転させられる円筒状の従動マグネットと、その従動マグネットに固定されるポンプ用部材とを有する磁気駆動ポンプにおいて、前記ポンプ用部材にその回転中心軸を中心とする同一円周位置に軸方向に伸びる１個以上のスナップアームを一体に形成し、前記スナップアームの自由端またはその自由端付近にスナップアームの外面から外側に突出する係止手段を備え、前記スナップアームの自由端またはその自由端付近を外力によって変位可能とし、前記円筒状の従動マグネットを１個以上のスナップアームの外側に嵌合した場合に前記係止手段が前記従動マグネットに係止して前記従動マグネットを前記ポンプ用部材に固定することを特徴とする磁気駆動ポンプにおけるポンプ用部材とマグネットの固定構造。
【請求項２】
前記円筒状の従動マグネットの内壁から内側に向けて、前記隣り合うスナップアーム同士に接触する回り止め用ボスを１個以上設けたことを特徴とする請求項１記載の磁気駆動ポンプにおけるポンプ用部材とマグネットの固定構造。
【請求項３】
前記ポンプ用部材において回転中心軸を中心とする同一円周位置に前記スナップアームを複数設け、それら複数のスナップアーム同士の間であって前記円周位置に、前記円筒状の従動マグネットの内壁に接触するものであって前記ポンプ用部材と一体に形成される内面ガイドを設け、その内面ガイドの自由端は外力によって変位しないようにしたことを特徴とする請求項１記載の磁気駆動ポンプにおけるポンプ用部材とマグネットの固定構造。
【請求項４】
前記円筒状の従動マグネットの内壁から内側に向けて、隣り合う前記スナップアームと前記内面ガイドに接触する回り止め用ボスを１個以上設けたことを特徴とする請求項３記載の磁気駆動ポンプにおけるポンプ用部材とマグネットの固定構造。
【請求項５】
前記従動マグネットの内壁の一方の端面側位置に前記係止手段が係止する係止用凹部を設け、前記係止用凹部に前記係止手段が係止した状態では、前記係止手段が従動マグネットの一方の端面より外部に突出しないことを特徴とする請求項１記載の磁気駆動ポンプにおけるポンプ用部材とマグネットの固定構造。
【請求項６】
前記ポンプ用部材に回り止め用第一係合手段を形成し、前記従動マグネットに前記回り止め用第一係合手段と係合する回り止め用第二係合手段を設けたことを特徴とする請求項１記載の磁気駆動ポンプにおけるポンプ用部材とマグネットの固定構造。
【請求項７】
駆動手段によって回転させられる駆動マグネットと、その駆動マグネットの回転に伴って回転させられる円筒状の従動マグネットと、その従動マグネットに固定されるポンプ用部材とを有する磁気駆動ポンプにおいて、前記ポンプ用部材にその回転中心軸を中心とする同一円周位置に軸方向に円筒部を一体に形成し、前記円筒部の内壁に係止用凹部を形成し、前記円筒状の従動マグネットの内径よりも径大の環状の連結部材を備え、前記連結部材に環状の中心位置中心とする円周位置に軸方向に伸びる１個以上のスナップアームを設け、前記スナップアームの自由端またはその自由端付近にスナップアームの外面から外側に突出する係止手段を設け、前記スナップアームの自由端またはその自由端付近を外力によって変位可能とし、前記円筒部の外側に前記従動マグネットを嵌合し、その後前記円筒部の内側に前記連結部材の前記１個以上のスナップアームを嵌合した場合に、前記係止手段が前記円筒部の前記係止用凹部に係止して前記連結部材と前記ポンプ用部材とを固定し、前記連結部材と前記ポンプ用部材とで前記従動マグネットを挟持して移動しないようにしたことを特徴とする磁気駆動ポンプにおけるポンプ用部材とマグネットの固定構造。
【請求項８】
前記従動マグネットの内壁の一方の端面側位置に前記係止手段が係止する係止用凹部を設け、前記係止用凹部に前記係止手段が係止した状態では、前記係止手段が従動マグネットの一方の端面より外部に突出しないことを特徴とする請求項７記載の磁気駆動ポンプにおけるポンプ用部材とマグネットの固定構造。
【発明の詳細な説明】
【技術分野】
【０００１】
本発明は、マグネットを介して動力を伝達する磁気駆動ポンプにおけるポンプ用部材とマグネットの固定構造に関する。
【背景技術】
【０００２】
マグネットによって動力を伝達する主なものとしては、マグネットカップリング式インペラポンプ等が知られている。マグネットカップリング式インペラポンプでは、インペラは一般に従動側マグネットに固定されている。従動側マグネットとインペラとを固定する方法としては、従動側マグネットをインペラに挿入して成形するインサート成形方法（特許文献１）や、お互いを接着剤で接着する方法が知られている。
【０００３】
【特許文献１】特開平５−２９６１７８
【発明の開示】
【発明が解決しようとする課題】
【０００４】
インサート成形方法では、成形時の樹脂圧力によって、マグネットが割れるおそれがあった。また、１個毎に手作業でマグネットを樹脂型に挿入するため作業工数がかかるという欠点があった。更にマグネットによって樹脂や金型の温度が低下したり不安定になったりして、完成品の寸法が均一にならないおそれがあった。
【０００５】
一方、接着剤を充填して従動側マグネットとインペラとを固定する方法では、接着剤を固化させるための時間を必要とするだけでなく、加熱手段等の設備や煩雑な工程を必要とし、固定までに乾燥時間がかかると共に設備コストがかかるという問題があった。
【０００６】
本発明は上記問題点に鑑みてなされたものであり、インペラ等のポンプ用部材と従動マグネットとを簡単に瞬間に固定できるようにした磁気駆動ポンプにおけるポンプ用部材とマグネットの固定構造を提供することを目的とするものである。
【課題を解決するための手段】
【０００７】
本発明に係る磁気駆動ポンプにおけるポンプ用部材とマグネットの固定構造は、駆動手段によって回転させられる駆動マグネットと、その駆動マグネットの回転に伴って回転させられる円筒状の従動マグネットと、その従動マグネットに固定されるポンプ用部材とを有する磁気駆動ポンプにおいて、前記ポンプ用部材にその回転中心軸を中心とする同一円周位置に軸方向に伸びる１個以上のスナップアームを一体に形成し、前記スナップアームの自由端またはその自由端付近にスナップアームの外面から外側に突出する係止手段を備え、前記スナップアームの自由端またはその自由端付近を外力によって変位可能とし、前記円筒状の従動マグネットを１個以上のスナップアームの外側に嵌合した場合に前記係止手段が前記従動マグネットに係止して前記従動マグネットを前記ポンプ用部材に固定することを特徴とするものである。本発明は、前記円筒状の従動マグネットの内壁から内側に向けて、前記隣り合うスナップアーム同士に接触する回り止め用ボスを１個以上設けたことを特徴とするものである。本発明は、前記ポンプ用部材においてその回転中心軸を中心とする同一円周位置に前記スナップアームを複数設け、それら複数のスナップアーム同士の間であって前記円周位置に、前記円筒状の従動マグネットの内壁に接触するものであって前記ポンプ用部材と一体に形成される内面ガイドを設け、その内面ガイドの自由端は外力によって変位しないようにしたことを特徴とするものである。本発明は、前記円筒状の従動マグネットの内壁から内側に向けて、隣り合う前記スナップアームと前記内面ガイドに接触する回り止め用ボスを１個以上設けたことを特徴とするものである。本発明は、前記従動マグネットの内壁の一方の端面側位置に前記係止手段が係止する係止用凹部を設け、前記係止用凹部に前記係止手段が係止した状態では、前記係止手段が従動マグネットの一方の端面より外部に突出しないことを特徴とするものである。本発明は、前記ポンプ用部材に回り止め用第一係合手段を形成し、前記従動マグネットに前記回り止め用第一係合手段と係合する回り止め用第二係合手段を設けたことを特徴とするものである。
【０００８】
本発明に係る磁気駆動ポンプにおけるポンプ用部材とマグネットの固定構造は、駆動手段によって回転させられる駆動マグネットと、その駆動マグネットの回転に伴って回転させられる円筒状の従動マグネットと、その従動マグネットに固定されるポンプ用部材とを有する磁気駆動ポンプにおいて、前記ポンプ用部材にその回転中心軸を中心とする同一円周位置に軸方向に円筒部を一体に形成し、前記円筒部の内壁に係止用凹部を形成し、前記円筒状の従動マグネットの内径よりも径大の環状の連結部材を備え、前記連結部材に環状の中心位置中心とする円周位置に軸方向に伸びる１個以上のスナップアームを設け、前記スナップアームの自由端またはその自由端付近にスナップアームの外面から外側に突出する係止手段を設け、前記スナップアームの自由端またはその自由端付近を外力によって変位可能とし、前記円筒部の外側に前記従動マグネットを嵌合し、その後前記円筒部の内側に前記連結部材の前記１個以上のスナップアームを嵌合した場合に、前記係止手段が前記円筒部の前記係止用凹部に係止して前記連結部材と前記ポンプ用部材とを固定し、前記連結部材と前記ポンプ用部材とで前記従動マグネットを挟持して移動しないようにしたことを特徴とするものである。本発明は、前記従動マグネットの内壁の一方の端面側位置に前記係止手段が係止する係止用凹部を設け、前記係止用凹部に前記係止手段が係止した状態では、前記係止手段が従動マグネットの一方の端面より外部に突出しないことを特徴とするものである。
【発明の効果】
【０００９】
本発明の実施例１及び実施例２では、ポンプ用部材と従動マグネットとを嵌合させるだけでポンプ用部材と従動マグネットとを固定することができるものである。本発明の実施例３では、ポンプ用部材と従動マグネットとを嵌合させた後、連結部材をポンプ用部材に嵌合させるだけでポンプ用部材と従動マグネットとを固定することができるものである。このように本発明では、ポンプ用部材と従動マグネットとを固定させる作業時間と固定に要する時間とを従来のものと比べて大幅に短縮して、作業コストを大幅に低減することができるものである。この結果、本発明は、従来の接着による固定方法の欠点（固定までの時間がかかり、設備コストがかかる）、や従来のインサート成形方法の欠点（マグネットが割れるおそれや、完成品の寸法が均一ならない）を解消することができる。
【発明を実施するための最良の形態】
【００１０】
本発明は、スナップアームに設けた係止手段を所定の部材に係止させるだけで、従動側マグネットとポンプ用部材とを簡単に固定することができるようにしたものである。
【実施例１】
【００１１】
以下、本発明を図面に基づいて説明する。図１は本発明に係る磁気駆動ポンプにおけるポンプ用部材とマグネットの固定構造の実施例１を示す断面図、図２は図１の要部斜視図である。磁気駆動ポンプ１０は、内部に駆動手段としてのモータ１２を備えたポンプボディ１４と、ポンプ室１６を形成するためのフロントケーシング１８並びにリアケーシング２０とを有し、リアケーシング２０を挟んでポンプボディ１４とフロントケーシング１８とを例えばボルト等の固定手段２２で固定することによって、ポンプボディ１４とフロントケーシング１８とリアケーシング２０とを固定する。ポンプボディ１４の内部にモータ１２側とリアケーシング２０側とを区画する区画ハウジング２４が取り付けられ、リアケーシング２０と区画ハウジング２４とで、空間２６が形成される。
【００１２】
リアケーシング２０は例えば合成樹脂を素材とし、その中央部は空間２６側に向けて突出するコップ状の有底円筒部２８となっている。モータ１２の回転軸３０にはコップ形状の駆動マグネット３２が固定されており、この駆動マグネット３２は空間２６内に配置される。この駆動マグネット３２は前記コップ形状の有底円筒部２８の外側に、有底円筒部２８とは非接触状態で覆うように設定配置される。駆動マグネット３２はコップ状としたが、円筒状の箇所を有すれば良く（その場合には、モータ１２の回転軸３０に固定されるものであって、円筒状の駆動マグネットを保持する保持部材が必要）、必ずしもコップ状である必要は無い。リアケーシング２０の有底円筒部２８のポンプ室１６側に、ポンプ用部材としての合成樹脂製のインペラ３６が回転自在に保持されている。なお、リアケーシング２０にインペラ３６を回転自在に保持する構造は、ここではその説明を省略する。リアケーシング２０は、液体が駆動マグネット３２側に侵入しないようにポンプ室１６と空間２６とを気密状態に保っている。ポンプ用部材としては、インペラ３６の他に、動力伝達軸、駆動カム、プランジャ等、各種ポンプに用いられるものが考えられる。
【００１３】
インペラ３６は、図１並びに図２に示すように、円盤状のインペラ基部３８と、そのインペラ基部３８に一体に形成される羽根部４０と、インペラ基部３８の中心から羽根部４０とは反対側に伸びる中央支柱部４２とを有する。インペラ３６は更に、インペラ基部３８と一体に形成されるものであって中央支柱部４２と平行でその中央支柱部４２の外側に配置される１個以上のスナップアーム４４並びに複数の内面ガイド４６を有する。図２に示す例では、スナップアーム４４は、インペラ基部３８からインペラ３６の回転軸方向に伸び、インペラ３６の回転軸を中心に同一円周方向に等間隔で合計４個配置されている。内面ガイド４６は隣り合うスナップアーム４４の間に配置されて同一円周方向に等間隔で合計４個備えられている。各スナップアーム４４の自由端またはその自由端付近には、スナップアーム４４の円周方向の外面より外側に向けて突出する係止手段としてのスナップフック４８が一体に形成されている。
【００１４】
各スナップアーム４４の根元（インペラ基部３８との連結位置）には、円周方向の外側に向けて突出する回り止め用第一係合手段としての突出部５０が一体に形成されている。各スナップアーム４４は自由端に至るまでの内外壁は空間に面している。このため、各スナップアーム４４の自由端は、円周方向（４個を等間隔で配置した同一円周方向）に対する法線方向に、外力が加わった際に移動が可能となっている。各内面ガイド４６は中央支柱部４２と固定されており、各内面ガイド４６の自由端はスナップアーム４４の自由端とは異なり、外力によって移動しないように設定されている。
【００１５】
磁気駆動ポンプ１０の動力伝達手段は、駆動マグネット３２と、それと対となる従動マグネット５２から成る。図２に示すように、従動マグネット５２は円筒形状をしており、その内径は円周方向にそれぞれ４個配置されたスナップアーム４４の円周方向の外壁並びに４個配置された内面ガイド４６の円周方向の外壁と嵌合接触する寸法に設定されている。従動マグネット５２において、内壁５３の一端側には各スナップアーム４４の根元の突出部５０と嵌合するための回り止め用第二係合手段としての第一凹部５４を形成し、内壁５３の他端側には各スナップアーム４４の自由端のスナップフック４８を係止するための係止用凹部としての第二凹部５６とを形成する。第一凹部５４の個数も第二凹部５６の個数もスナップアーム４４の個数と同数とする。
【００１６】
磁気駆動ポンプ１０では、後述するように、インペラ３６に円筒状の従動マグネット５２が固定され、その円筒状の従動マグネット５２の外面は有底円筒部２８を挟んで駆動マグネット３２と対峙した状態に配置される。
【００１７】
図３（ａ）に示すように、４個のスナップアーム４４のうち、１８０度反対側にある２個のスナップフック４８の最も離れている外縁の間の距離をＬとし、従動マグネット５２の内径をＤとすれば、距離Ｌは内径Ｄより大きいものとする。なお、スナップフック４８における最先端の外縁の距離Ｍは、スナップフック４８の最先端が円筒状の従動マグネット５２の内部空間に入ることができるように、従動マグネット５２の内径Ｄより縮径できるものとする。
【００１８】
インペラ３６と従動マグネット５２とを固定する場合には、図３（ａ）に示すように、従動マグネット５２を第一凹部５４を形成した側から、複数のスナップアーム４４並びに複数の内面ガイド４６（図３では図示を省略する）の外側から嵌合するようにしてＡ方向に移動させる。従動マグネット５２の組付けの途中では、従動マグネット５２の内径Ｄは１８０度反対側にある２個のスナップフック４８の外側縁の間の距離Ｌより小さいが、インペラ３６は合成樹脂を素材とし、スナップアーム４４の自由端（スナップフック４８を形成した位置）は変位できるので、図３（ｂ）に示すように、１８０度反対側にある２個のスナップフック４８の外側縁の間の距離はＤとなって、従動マグネット５２の内壁５３に接触した状態となり、スナップフック４８を従動マグネット５２の内壁５３に接触した状態を保ちながら、従動マグネット５２をインペラ３６に対して移動させることができる。
【００１９】
図３（ｃ）に示すように、従動マグネット５２がインペラ基部３８と接触することで従動マグネット５２の移動が停止する。即ち、インペラ基部３８はストッパの役割を果たす。従動マグネット５２の挿入側端面５８がインペラ基部３８と接触した状態では、スナップアーム４４の根元の突出部５０と従動マグネット５２の第一凹部５４とが嵌合し、従動マグネット５２はインペラ３６に対して軸方向に回転することはない。また、スナップアーム４４の自由端のスナップフック４８は、第二凹部５６に係止する。即ち、スナップアーム４４の自由端であるスナップフック４８は、従動マグネット５２の内径Ｄの箇所による圧迫から開放されて、１８０度反対側にある２個のスナップフック４８の外側縁の距離は元のＬとなる。このように、スナップアーム４４のスナップフック４８が従動マグネット５２の第二凹部５６に係止することによって、従動マグネット５２はインペラ３６に対してＢ方向（図３（ｂ））に移動することができなくなり、従動マグネット５２はインペラ３６に固定されたことになる。また、第二凹部５６にスナップフック４８が係止した状態では、スナップフック４８が従動マグネット５２の第二凹部５６側の端面より外部に突出しないように設定する。スナップフック４８が従動マグネット５２の第二凹部５６側の端面より外部に突出しないようにすることで、磁気駆動ポンプ１０の軸方向の長さを短くすることができる。
【００２０】
以上のように本発明の実施例１によれば、従動マグネット５２とインペラ３６のスナップアーム４４並びに内面ガイド４６とに嵌合させることで、スナップアーム４４のスナップフック４８が従動マグネット５２の第二凹部５６に係止する。この係止によって、従動マグネット３２が進行方向に対する反対方向に移動することができなくなり、従動マグネット３２がインペラ３６に固定される。その結果、本発明は、従来のような接着による固定方法の欠点（固着までの時間がかかり、設備コストがかかる）、やインサート成形方法の欠点（マグネットが割れるおそれや、完成品の寸法が均一にならない）を解消することができる。また、従動マグネット５２とインペラ３６とに、回り止め用係合手段５４，５０を設けることで、従動マグネット５２とインペラ３６とを軸方向に外れないように固定した際に、互いに回転することを防止することができる。
【００２１】
なお、図２ではスナップアーム４４と内面ガイド４６の数を４個としたが、複数個であれば個数はどれだけでも良い。また、インペラ３６において、複数のスナップアーム４４は備えるが、内面ガイド４６は必ずしも備えなくても良い。更に、従動マグネット５２に回り止め用係合手段としての第一凹部５４を形成し、インペラ３６に回り止め用係合手段としての突出部５０を形成したが、インペラ３６に凹部を形成し、従動マグネット５２に突出部を形成するようにしても良い。
【実施例２】
【００２２】
次に、本発明の他の実施例について説明する。図４は本発明に係る磁気駆動ポンプにおけるポンプ用部材とマグネットの固定構造の実施例２を示す要部断面図である。なお、図４において、図１乃至図３と同一符号は同一部材を示す。実施例２のポンプ用部材としてのインペラ６０は、インペラ基部３８におけるスナップアーム４４の根元の外側に環状の段部６２を備える。実施例２のインペラ６０と実施例１のポンプ用部材としてのインペラ３６との相違点は、実施例１では４個のスナップアーム４４の各根元に回り止め用突出部５０を設けたのに対し、実施例２では４個のインペラ３６の根元の外側の周囲に３６０度にわたる環状の段部６２を形成したことである。
【００２３】
実施例２の従動マグネット６４は筒状形状をしており、実施例１の従動マグネット５２のような凹部５４，５６を設けていない。従動マグネット６４の軸方向の長さは、段部６２の端面６６とスナップアーム４４のスナップフック４８との間の距離より僅かに短いものに設定する。従動マグネット６４の内壁には、内壁から内部に突出する回り止め手段としてのボス６８を一体に形成する。このボス６８は１個以上であれば良い。
【００２４】
インペラ６０と従動マグネット６４を固定する場合に、従動マグネット６４をインペラ６０の複数のスナップアーム４４並びに複数の内面ガイド４６の外側から嵌合させる。従動マグネット６４の嵌合移動中には、図３（ｂ）に示すものと同様に、１８０度反対側にある２個のスナップフック４８の外側縁は従動マグネット６４の内壁に接触した状態となり、その接触状態を保ちながら、従動マグネット６４をインペラ６０のインペラ基部３８側に向いて移動させることができる。段部６２の端面６６がストッパとなり、従動マグネット６４の一方の端面７０が段部６２の端面６６に接触した時に、従動マグネット６４の移動が停止する。この停止状態になった時に、スナップフック４８が従動マグネット６４の内壁から離れ、スナップフック４８が従動マグネット５２の他方の端面７２に係止する。これによって、インペラ６０と従動マグネット６４とが固定される。
【００２５】
この実施例２においても、従動マグネット６４とインペラ６０とを嵌合するだけで、スナップフック４８によって従動マグネット５２とインペラ３６とを固定させることができる。よって、実施例２も実施例１と同様に、従来のような、接着による固定方法の欠点（固着までの時間がかかり、設備コストがかかる）、やインサート成形方法の欠点（マグネットが割れるおそれや、完成品の寸法が均一にならない）を解消することができる。
【実施例３】
【００２６】
次に、本発明の更に他の実施例について説明する。図５は本発明に係る磁気駆動ポンプの更に他の実施例を示す断面図である。なお、図５において、図１乃至図３と同一符号は同一部材を示す。実施例３のポンプ用部材としてのインペラ７４は、実施例１のポンプ用部材としてのインペラ３６における４個のスナップアーム４４並びに４個の内面ガイド４６に代えて、インペラ基部３８と一体に形成する円筒状の筒状部７６を備えたものである。更に、筒状部７６の内壁に係止手段としての係止用凹部７８を形成する。この筒状部７６はその外側に、後述する駆動マグネット８２と嵌合するものである。筒状部７６とインペラ基部３８との連絡箇所に、回り止め用係合手段としての突出部８０を形成する。従動マグネット８２は円筒形状をしており、その従動マグネット８２には実施例１の従動マグネット３２と同様、インペラ７４の突出部８０と係合する回り止め用係合手段としての第一凹部５４が形成されている。
【００２７】
この実施例３では、環状で板状の基部８４と、その基部８４に対して直角方向に１個以上のスナップアーム８６とを備えた合成樹脂製の連結部材８８を備える。環状で板状の基部８４の外径は、円筒形状の従動マグネット８２の内壁５３の内径より大きい寸法に設定してある。各スナップアーム８６の自由端またはその付近に、外壁から外部に突出するスナップフック９０を形成する。各スナップアーム８６は自由端に至るまでの内外壁は空間に面している。このため、各スナップアーム８８の自由端または自由端付近は外力によって変位できる状態に設定されている。
【００２８】
この実施例３においてインペラ７４と従動マグネット８２とを固定する場合には、先ず、インペラ７４の筒状部７６の外側から円筒状の従動マグネット８２を嵌合させる。その際、インペラ７４の突出部８０と従動マグネット８２の第一凹部５４とを嵌合させる。これによって、インペラ７４と従動マグネット８２との回転が阻止される。
【００２９】
インペラ７４の筒状部７６と円筒状の従動マグネット８２を嵌合させた後、連結部材８８のスナップアーム８６をインペラ７４の筒状部７６の内部に向けて嵌合挿入する。そして、インペラ７４の筒状部７６の係止用凹部７８と連結部材８８のスナップアーム８６のスナップフック９０とを係止させる。筒状部７６の係止用凹部７８とスナップアーム８６のスナップフック９０とが係止した状態では、インペラ７４と連結部材８８とが固定され、連結部材８８の基部８４とインペラ７４とで従動マグネット８２を挟持する。よって、従動マグネット８２とインペラ７４とが固定された状態になる。
【００３０】
この実施例３においても、インペラ７４と従動マグネット８２とを嵌合した後、インペラ７４と連結部材８８とを嵌合するだけで、スナップフック９０による係止によって従動マグネット８２とインペラ７４とを固定させることができる。よって、実施例３も実施例１と同様に、従来のような、接着による固定方法の欠点（固定までの時間がかかり、設備コストがかかる）、やインサート成形方法の欠点（マグネットが割れるおそれや、完成品の寸法が均一ならない）を解消することができる。
【図面の簡単な説明】
【００３１】
【図１】本発明に係る磁気駆動ポンプにおけるポンプ用部材とマグネットの固定構造の実施例１を示す断面図である。
【図２】図１の要部斜視図である。
【図３】図１及び図２における駆動手段とポンプ用部材との固定状態を示す断面図である。
【図４】本発明に係る磁気駆動ポンプにおけるポンプ用部材とマグネットの固定構造の実施例２を示す要部断面図である。
【図５】本発明に係る磁気駆動ポンプにおけるポンプ用部材とマグネットの固定構造の実施例３を示す要部断面図である。
【符号の説明】
【００３２】
１０  磁気駆動ポンプ
３２  駆動マグネット
３６  インペラ
４４  スナップアーム
４６  内面ガイド
４８  スナップフック
５０  突出部
５２  従動マグネット
５３  内壁
５４  第一凹部
５６  第二凹部
６０  インペラ
６４  従動マグネット
６８  ボス
７４  インペラ
７６  筒状部
７８  凹部
８２  従動マグネット
８６  スナップアーム
８８  連結部材
９０  スナップフック
【図１】
2010048086.tif 000003
【図２】
2010048086.tif 000004
【図３】
2010048086.tif 000005
【図４】
2010048086.tif 000006
【図５】
2010048086.tif 000007